(57)【要約】【課題】  グリーンフォークの収納と取り出しを容易に行うことができるとともに、ゴルフシューズから伝わる振動や衝撃で、ケースからグリーンフォークが脱落紛失するおそれのないグリーンフォークとケースのセットを提供する。【解決手段】  前方に向けて二股状に分岐したフォーク部３と後端部がへら状に形成された把持部４からなるグリーンフォーク１と、これを収納するケース２のセットであり、ケースはゴルフシューズに装着して使用する。グリーンフォークをケース後方から挿入すると、グリーンフォーク側に設けられたネオジム磁石７とケース側に設けられた被磁着部材１４どうしが吸着し、ケース内の所定位置にグリーンフォークが保持される。また、把持部の押下により、ネオジム磁石と被磁着部材が分離し、グリーンフォークはケース後方に容易に抜き出すことができる。【選択図】  図１
2014188136.tif 000002
【特許請求の範囲】
【請求項１】
グリーンフォークと、これを収納するケースのセットであって、
グリーンフォークは、その長手方向前方に向けて二股状に分岐したフォーク部と、当該フォーク部の後方に連続し、後端部が上方に湾曲したへら状の把持部から構成されているとともに、前記フォーク部と把持部が連続する部分の幅方向中央部上面には第１の磁気吸着部材が埋設され、
ケースは、平坦な底板と、長手方向前端部の下端と両側部の下端がそれぞれ前記底板周縁に連続し、幅方向中央部が中高に形成されて後端が開放されたカバー部から構成されて、内部に前記グリーンフォークを後方から収納する空間が形成され、前記底板の下面には、その長手方向前端付近から後方に向けて所定長さに形成された、ゴルフシューズの前側部分を横断する靴紐を通すための前後に細長い第１の紐通し孔を有する、靴紐連結部が設けられているとともに、前記カバー部後端近傍の左右両側面には、ゴルフシューズの左右に交差するそれぞれの靴紐を通すための、一対の第２の紐通し孔が形成され、
前記空間内には、グリーンフォークの収納時に二股状のフォーク部の間に位置して当該フォーク部を位置決めし、且つ挿抜自在に案内するフォークガイドが形成されているとともに、カバー部内側の、グリーンフォーク収納時に第１の磁気吸着部材の上面と対向する位置には、当該磁気吸着部材との間で磁気吸引力が作用する第２の磁気吸着部材が固定され、
第１の磁気吸着部材と第２の磁気吸着部材の少なくとも一方は永久磁石であって、グリーンフォークがケースに収納されている時は、第１の磁気吸着部材と第２の磁気吸着部材が互いに吸着して、グリーンフォークはケース内の所定位置に保持され、グリーンフォークをケースから取り出す時は、グリーンフォークの把持部後端側を押し下げることにより、フォーク部の前端部上面がカバー部の内面に当接し、この当接位置を支点にグリーンホークが下方に傾動して、第１の磁気吸着部材と第２の磁気吸着部材間の吸着状態が解かれることを特徴とするグリーンフォークとケースのセット。
【請求項２】
グリーンホークケースのカバー部の両側面にはそれぞれ、内部に侵入した土砂等の異物を排除するための開口部が形成されていることを特徴とする請求項１に記載のグリーンフォークとケースのセット。
【発明の詳細な説明】
【技術分野】
【０００１】
本発明は、グリーンフォークとこれを収納するケースのセットに関し、特に、ケースを靴紐でゴルフシューズに装着して使用するグリーンフォークとケースのセットに関する。
【背景技術】
【０００２】
従来、ゴルフ場でディボット跡を修復するために使用するグリーンフォークをポケットに入れてプレー中に持ち運ぶと、ポケット内がグリーンフォークに付着した芝や土砂で汚れたり、取り出しに手間取ったりするため、例えば、特許文献１や特許文献２に記載されているように、ゴルフシューズの上に装着するものが提案されている。
【０００３】
特許文献１に記載されているゴルフシューズセットは、ゴルフシューズの上面に磁性体の固定プレートを接着テープで取り付けるとともに、中央部裏面に強力な磁石を取り付けたプラスチック製のグリーンフォークをその磁石の磁力で固定プレートに吸着し、自由に着脱使用できるようにしている。
【０００４】
また、特許文献２に記載されているゴルフボールマーク、ティー等のホルダーは、取付孔に靴紐を通してゴルフシューズ上面に取り付けられる合成ゴム製の主体からなるホルダに設けた貫通孔にグリーンフォークやティー等を挿着するようにしている。
【先行技術文献】
【特許文献】
【０００５】
【特許文献１】特開２００７−１９５９２３号公報
【特許文献２】実開平６−９６７０号公報
【発明の概要】
【発明が解決しようとする課題】
【０００６】
前述した特許文献１に記載された発明においては、グリーンフォークがゴルフシューズの上面に露出しているため、グリーンフォークが周囲のものに当たって衝撃を受けたり、ゴルフシューズに伝わる衝撃を受けると、固定プレートから脱落してプレイ中に紛失してしまうおそれがあった。また、固定プレートを接着テープでゴルフシューズに取り付けているため、接着テープの接着力が劣化すると、ゴルフシューズから固定プレートが脱落するおそれもあった。
【０００７】
また、特許文献２に記載された発明においては、ホルダの貫通孔に挿着されるグリーンフォークは、合成ゴムの主体の弾力による摩擦力で保持されているため、プレイ中にゴルフシューズに加わる衝撃や振動によってグリーンフォークが脱落して紛失するおそれがあった。
【０００８】
そこで、本発明は、前述したような従来技術における問題点を解消し、グリーンフォークの収納と取り出しを容易に行うことができるとともに、ゴルフシューズから伝わる振動や衝撃で、ケースからグリーンフォークが脱落紛失するおそれのないグリーンフォークとケースのセットを提供することを目的とする。
【課題を解決するための手段】
【０００９】
前記課題を解決するために提供される、本発明のグリーンフォークとケースのセットにおいては、グリーンフォークは、その長手方向前方に向けて二股状に分岐したフォーク部と、当該フォーク部の後方に連続し、後端部が上方に湾曲したへら状の把持部から構成されているとともに、前記フォーク部と把持部が連続する部分の幅方向中央部上面には第１の磁気吸着部材が埋設され、ケースは、平坦な底板と、長手方向前端部の下端と両側部の下端がそれぞれ前記底板周縁に連続し、幅方向中央部が中高に形成されて後端が開放されたカバー部から構成されて、内部に前記グリーンフォークを後方から収納する空間が形成され、前記底板の下面には、その長手方向前端付近から後方に向けて所定長さに形成された、ゴルフシューズの前側部分を横断する靴紐を通すための前後に細長い第１の紐通し孔を有する、靴紐連結部が設けられているとともに、前記カバー部後端近傍の左右両側面には、ゴルフシューズの左右に交差するそれぞれの靴紐を通すための、一対の第２の紐通し孔が形成され、前記空間内には、グリーンフォークの収納時に二股状のフォーク部の間に位置して当該フォーク部を位置決めし、且つ挿抜自在に案内するフォークガイドが形成されているとともに、カバー部内側の、グリーンフォーク収納時に第１の磁気吸着部材の上面と対向する位置には、当該磁気吸着部材との間で磁気吸引力が作用する第２の磁気吸着部材が固定され、第１の磁気吸着部材と第２の磁気吸着部材の少なくとも一方は永久磁石であって、グリーンフォークがケースに収納されている時は、第１の磁気吸着部材と第２の磁気吸着部材が互いに吸着して、グリーンフォークはケース内の所定位置に保持され、グリーンフォークをケースから取り出す時は、グリーンフォークの把持部後端側を押し下げることにより、フォーク部の前端部上面がカバー部の内面に当接し、この当接位置を支点にグリーンホークが下方に傾動して、第１の磁気吸着部材と第２の磁気吸着部材間の吸着状態が解かれることを特徴としている。
【００１０】
本発明のグリーンフォークとケースのセットにおいては、ケースのカバー部の両側面にはそれぞれ、内部に侵入した土砂等の異物を排除するための開口部が形成されていることが望ましい。
【発明の効果】
【００１１】
請求項１に記載された発明によれば、ゴルフシューズに装着したケースにグリーンフォークを収納する際は、ケースの後端からフォーク部を途中まで差し込むだけで、グリーンフォーク側の第１の磁気吸着部材とケース側の第２の磁気吸着部材間に作用する磁気吸引力によって、グリーンフォークはケース内に引き込まれ、ケース内のフォークガイドによって案内されて自動的に適正な収納位置に位置決め保持される。
【００１２】
また、ケースからグリーンフォークを取り出す際は、グリーンフォークの把持部後端を押し下げることによって、互いに強く吸着している双方の磁気吸着部材どうしを、てこの原理によって軽く引き離すことができるので、グリーンフォークをケース後方に容易に抜き出すことができる。
【００１３】
また、ケースに収納されているグリーンフォークに強い衝撃や振動が加わって、これらの磁気吸着部材どうしが一時的に離れた場合にも、グリーンフォークのフォーク部はケースの底板上面とカバー部内側の天井面との間で上下に動ける範囲が規制されているため、磁気吸着部材どうしは直ちに吸着状態に戻るため、グリーンフォークが不用意にケースから脱落して紛失するおそれはない。
【００１４】
さらに、ケースはその底板下面の長手方向前端付近から後方に向けて所定長さに形成された靴紐連結部が有する前後に細長い第１の紐通し孔と、カバー部後端近傍の左右両側面に形成された一対の第２の紐通し孔にそれぞれ靴紐を通すことによって、前端部と後端部両側の３箇所でゴルフシューズに確実に固定されるため、ゴルフシューズに対して取り付け位置がずれるおそれがなく、また、第１の紐通し孔が前後に細長く形成されているため、サイズに応じて紐孔の数が異なる複数種類のゴルフシューズに対応することができる。
【００１５】
また、請求項２に記載された発明によれば、グリーンフォークに付着してケース内に侵入した土砂等の異物を、カバー部の両側面に形成されている開口部から排除することができるため、ケース内の掃除を容易に行うことができる。
【図面の簡単な説明】
【００１６】
【図１】本発明の１実施形態におけるグリーンフォークとケースのセットを示す斜視図である。
【図２】図１のセットにおけるグリーンフォークをケースに収納した状態を示す斜視図である。
【図３】本発明の１実施形態における、グリーンフォークの平面図である。
【図４】本発明の１実施形態における、グリーンフォークの側面図である。
【図５】本発明の１実施形態における、グリーンフォークの底面図である。
【図６】図３のＡ−Ａ断面図である。
【図７】本発明の１実施形態における、ケースの平面図である。
【図８】本発明の１実施形態における、ケースの側面図である。
【図９】本発明の１実施形態における、ケースの底面図である。
【図１０】図７のＢ−Ｂ断面図である。
【図１１】図８のＣ−Ｃ断面図である。
【図１２】図８のＤ−Ｄ断面図である。
【図１３】グリーンフォークが定位置に収納された状態を示す、ケースの縦断面図である。
【図１４】グリーンフォークを抜き出す途中の状態を示す、ケースの縦断面図である。
【図１５】ゴルフシューズへケースを装着する手順を説明する図である。
【図１６】ゴルフシューズへケースが装着された状態を示す平面図である。
【発明を実施するための形態】
【００１７】
以下、図面に基づいて、本発明の実施形態を説明する。
図１は、本発明の１実施形態における、グリーンフォークとケースのセットを示す斜視図、図２は、図１のセットにおけるグリーンフォーク１をケース２に収納した状態を示す斜視図であって、ケース２は、図示していないゴルフシューズの上面に、前端側を爪先側に向けて装着し、後方からグリーンフォーク１を収納する構造としている。
【００１８】
この本実施形態においては、グリーンフォーク１はアルミニウム鋳物で製作されていて、図３の平面図に示すように、その長手方向前方に向けて一対のフォーク３Ａが股部３Ｂから二股状に分岐しているフォーク部３と、その後方に連続している把持部４から構成されている。
【００１９】
これらのフォーク３Ａは、前端部を楔状に尖らせてあり、対向する側面どうしが長手方向に互いに平行に形成されている。また、図４に示すように、フォーク部３は、後方からフォーク３Ａの前端に向けて、厚みｔを漸減しながらアーチ状に立ち上がる、緩やかに湾曲した側面形状を有している。
【００２０】
また、把持部４は、ここを持ってグリーンフォーク１を使用するため、手で保持し易いように、その上面が幅方向には中高に湾曲し、且つ後端部に向けて上方に緩やかに湾曲する曲面で形成されていて、全体的にはへら状に形成されている。
【００２１】
また、図５及び図６に示すように、把持部４の底面側は、幅方向に中央をやや凹ませてあり、この凹んだ部分の周囲に形成される曲線状の縁部５は、そのフォーク部３寄りの部分が平面上に位置するように仕上げられていて、グリーンフォーク１を、この縁部５の部分でテーブル等の水平面の上に、安定して置けるようにしてある。
【００２２】
さらに、このグリーンフォーク１には、フォーク部３と把持部４とが連続する部分の幅方向中央部の上面に、図６に示すように円形の浅い凹部６が加工されていて、この凹部６の中に、第１の磁気吸着部材としての、扁平な円柱状のネオジム磁石７が埋設されている。
【００２３】
このネオジム磁石７は、凹部６に適合する外径と厚みを有しており、その上面がグリーンフォーク１の上面と略同一レベルとなるように当該凹部６内に埋め込まれて接着剤で固定されている。
【００２４】
次に、ケース２の構造について説明する。図７はケース２の平面図、図８はその側面図、図９はその底面図であって、本実施形態のものにおいては、ケース２は、ポリカーボネート樹脂を一体成形することによって製作されている。
【００２５】
これらの図に示すように、ケース２は、前端から後端に向けて、幅がやや拡がった平坦な底板８を有し、その上方に、これを覆うように幅方向中央部が中高で、且つ後方に向けて高さが緩やかに増加する曲面で形成されたカバー部９が設けられている。このカバー部９は、長手方向前端部の下端と両側部の下端で底板８の周縁と連続しており、ケース２の内部に、前述したグリーンフォーク１を収納するための、後方が開放された空間が形成されている。
【００２６】
また、底板８の下面の幅方向中央部には、その長手方向前端付近から後方に向けて、所定長さに形成された靴紐連結部１０が形成されている。この靴紐連結部１０には、ケース２を装着する図示しないゴルフシューズ上面の前側部分を横断する靴紐に通すための、前後に細長いスリット状の紐通し孔１１（第1の紐通し孔）が形成されている。なお、ケース２をゴルフシューズに装着する手順については後述する。
【００２７】
また、本実施形態のものにおいては、カバー部９の前半部分の両側面に、下端が底板８の上面に達する円弧状の縁を有する、一対の大きな開口部１２が形成されている。これらの開口部１２は、ケース２を掃除する際、その内部に侵入した土砂等の異物の排除を容易にするためものである。
【００２８】
次に、図１０は図７のＢ−Ｂ断面図、図１１は図８のＣ−Ｃ断面図、図１２は図８のＤ−Ｄ断面図であって、これらの図に示すように、ケース２の内側の空間の前方部分には、その幅方向中央部に当該空間を左右に区画する隔壁状のフォークガイド１３が設けられている。
【００２９】
フォークガイド１３の前端部と上端部はそれぞれ、カバー部９の前端部内面と天井面に連続している。また、フォークガイド１３の幅と長さは、前述したグリーンフォーク１のフォーク３Ａの対向間隔と、これらの前端から股部３Ｂまでの長さに適合する寸法に形成されている。
【００３０】
フォークガイド１３は、図２に示すようにグリーンフォーク１をケース２内に収納したときに、一対のフォーク３Ａの間に入り込んで、グリーンフォーク１のフォーク部３をケース２の適正位置に位置決めして、がたつきを抑える役割を有している。
【００３１】
また、フォークガイド１３は、グリーンフォーク１をケース２に対して挿抜する動作を容易に案内する役割と有している。なお、図１１に示すように、フォークガイド１３の後端部１３Ａは、グリーンフォーク１をケース２内へ挿入する際に、フォーク３Ａの先端が引っ掛からないように、断面が凸円弧状の曲面で形成されている。
【００３２】
図１０に示すように、ケース２には、前記後端部１３Ａの後方上部に、第２の磁気吸着部材としての被磁着部材１４が取り付けられている。なお、ここで「被磁着部材」とは、磁石に吸着される、鉄やニッケル等の強磁性体からなる部材を意味している。
【００３３】
本実施形態のものは、図１０において、鎖線で表示する円ａで囲んだ部分の拡大図に示しているように、被磁着部材１４は、鋼製ビス１４Ａと、平坦な下面を有する鋼製鍔付ナット１４Ｂからなる市販の組ねじで構成され、鍔付ナット１４Ｂの平坦な下面が、カバー部９の天井面から所定長さ下方に突出するように、カラー１４Ｃを通して、カバー部９に形成された取付孔９Ａに螺着固定されている。
【００３４】
図１３は、グリーンフォーク１が定位置に収納された状態を示す、ケース２の縦断面図であって、同図に示す状態では、グリーンフォーク１側に設けられているネオジム磁石７（第１の磁気吸着部材）は、被磁着部材１４（第２の磁気吸着部材）の鍔付ナット１４Ｂ（図１０参照）の下面に吸着し、フォークガイド１３と協働して、グリーンフォーク１をケース２内の所定の位置に保持している。そして、この状態においては、フォークガイド１３によって、ケース２に対するグリーンフォーク１のがたつきは必要最小限に抑えられている。
【００３５】
次に、図１４は、グリーンフォーク１を抜き出す途中の状態を示す、ケース２の縦断面図であって、ケース２からグリーンフォーク１を抜き出す場合には、先ず、グリーンフォーク１の把持部４の後端を軽く下方に押し下げる。そうすると、グリーンフォーク１は、ネオジム磁石７と被磁着部材１４の互いの吸着位置を支点としてフォーク３Ａの先端側が浮き上り、カバー部９の前端部内側の天井面に当接する。
【００３６】
ここから把持部４をさらに押し下げると、同図に示すように、グリーンフォーク１は、この当接位置を支点として、縁部５の前端が底板８の上面に当たるまで下方に傾動し、その結果、ネオジム磁石７と被磁着部材１４間の吸着状態が解除されるので、グリーンフォーク１を底板８に軽く押し当てたまま後方に引くことによって、ケース２から容易に抜き出すことができる。
【００３７】
一方、グリーンフォーク１をケース２内に収納する場合には、把持部４を持ってフォーク部３をケース２の後端から途中まで挿入することにより、グリーンフォーク１は、ネオジム磁石７と被磁着部材１４との間に作用する磁気吸引力によって、ケース２内に吸い込まれ、フォークガイド１３によって案内されて、自動的に適正な収納位置に位置決め保持される。
【００３８】
なお、本実施形態のものにおいては、グリーンフォーク２の後方からグリーンフォーク１の挿抜操作を容易にするために、カバー部９の後端縁９Ｂが側面視で斜めにカットされて、その中央が図７に示すように円弧状に抉られた輪郭形状としてある。
【００３９】
また、図１０及び図１１に示すように、カバー部９の後端近傍の左右両側面にはそれぞれ、ゴルフシューズの靴紐を通すための、下端が底板８の上面に達する円弧状の縁を有する紐通し孔１５（第２の紐通し孔）が形成されている。次に、ケース２をゴルフシューズに装着する手順について説明する。
【００４０】
図１５に示すように、ケース２を装着する左右何れか片方のゴルフシューズ１６の紐孔１７に靴紐１８を通す前に、底板８側が上向きになるようにケース２を前後方向に裏返して当該ゴルフシューズ１６の前側上面中央に置き、最前列の左右の紐孔１７間に靴紐１８を通す際に、これらの紐孔１７の間に位置させた、ケース２の靴紐連結部１０の第１の紐通し孔（図８に示す、前後に細長い紐通し孔１１）に靴紐１８を通す。
【００４１】
次に、靴紐１８の両端を左右の各列の紐孔１７を交互に通して編み上げ、ケース２をゴルフシューズ１６に対して後方に反転させて、図１６に示すようにカバー部９を上にしてから、前記左右の各列の最後尾の紐孔１７から上方に引き出した靴紐１８の両端を、カバー部９の両外側から第２の紐通し孔（図１に示す左右の紐通し孔１５）を通して互いに交差させ、さらに、左右の各列最後尾の紐孔１７を下から上に貫通させる。
【００４２】
次に、この状態でゴルフシューズ１６を履いてから、靴紐１８の両端を強く引いて互いに結ぶことで、ケース２は、ゴルフシューズ１６に対して前端部と後端部両側の３箇所で確実に固定することができる。
【００４３】
なお、本実施形態のものにおいては、これらの紐通し孔１５を通る靴紐との干渉を避けるために、底板８の後端縁８Ａを、幅方向中央部を前方に円弧状に抉り込んだ輪郭形状としてあるため、靴紐１８どうしの最後部の交差部が後端縁８Ａに擦れて損耗するおそれはない。
【００４４】
以上に説明した実施形態のものにおいては、第１の磁気吸着部材として、ネオジム磁石を用いているが、これに代えて、フェライト磁石やサマリウムコバルト磁石等の他の永久磁石を用いることも可能である。なお、フェライト磁石等は、ネオジム磁石と比較して安価ではあるが磁力は劣るため、磁束を集中させて吸着力を高めるように、磁石にキャップ状のヨーク部材を装着して使用することが望ましい。
【００４５】
また、グリーンフォーク１の素材としては、アルミニウムに限定するものではなく、例えば、ステンレスやチタン等の他の金属素材や、カーボン強化樹脂やジルコニアセラミックス等の強度や靱性の大きい非金属素材を用いることも可能である。
【００４６】
さらに、グリーンフォーク１のへら状の把持部４は、後端部の上方への湾曲を小さくし、且つ裏面の幅方向中央部が大きく凹んだ曲面で形成し、後端側の肉厚を薄くして、ゴルフシューズに履きかえる際に靴べらとしても兼用できるようにしてもよい。
【００４７】
さらに、本実施形態のものにおいては、ケース２の素材としてポリカーボネート樹脂を用いているが、ケースの素材はこれに限定するものではなく、必要な強度や耐蝕性、耐候性を備えた他の樹脂素材や、チタン等の金属素材等を用いてもよい。
【００４８】
また、本実施形態のものにおいては、グリーンフォーク１側に第１の吸着部材としてネオジム磁石７を、ケース２側に第２の吸着部材として被磁着部材１４を設けているが、本発明はこれに限定するものではなく、第１の吸着部材を被磁着部材とし、第２の吸着部材を永久磁石としてもよい。
【００４９】
さらに、これらの吸着部材の双方を、互いに異極どうし対向させた永久磁石で構成してもよい。なお、被磁着部材を用いているグリーンフォークまたはケースの素材には、相手側の永久磁石が当該被磁着部材以外の他の部分に吸着しないように、非磁性のものを用いる必要がある。
【符号の説明】
【００５０】
１      グリーンフォーク
２      ケース
３      フォーク部
３Ａ    フォーク
３Ｂ    股部
４      把持部
５      縁部
６      凹部
７      ネオジム磁石（第１の磁気吸着部材）
８      底板
８Ａ    後端縁
９      カバー部
９Ａ    取付孔
９Ｂ    後端縁
１０    靴紐連結部
１１    紐通し孔（第1の紐通し孔）
１２    開口部
１３    フォークガイド
１３Ａ  後端部
１４    被磁着部材
１４Ａ  鋼製ビス
１４Ｂ  鋼製鍔付ナット
１４Ｃ  カラー
１５    紐通し孔（第２の紐通し孔）
１６    ゴルフシューズ
１７    紐孔
１８    靴紐  
【図１】
2014188136.tif 000003
【図２】
2014188136.tif 000004
【図３】
2014188136.tif 000005
【図４】
2014188136.tif 000006
【図５】
2014188136.tif 000007
【図６】
2014188136.tif 000008
【図７】
2014188136.tif 000009
【図８】
2014188136.tif 000010
【図９】
2014188136.tif 000011
【図１０】
2014188136.tif 000012
【図１１】
2014188136.tif 000013
【図１２】
2014188136.tif 000014
【図１３】
2014188136.tif 000015
【図１４】
2014188136.tif 000016
【図１５】
2014188136.tif 000017
【図１６】
2014188136.tif 000018
【手続補正書】
【提出日】平成25年3月29日(2013.3.29)
【手続補正１】
【補正対象書類名】明細書
【補正対象項目名】０００９
【補正方法】変更
【補正の内容】
【０００９】
前記課題を解決するために提供される、本発明のグリーンフォークとケースのセットにおいては、グリーンフォークは、その長手方向前方に向けて二股状に分岐したフォーク部と、当該フォーク部の後方に連続し、後端部が上方に湾曲したへら状の把持部から構成されているとともに、前記フォーク部と把持部が連続する部分の幅方向中央部上面には第１の磁気吸着部材が埋設され、ケースは、平坦な底板と、長手方向前端部の下端と両側部の下端がそれぞれ前記底板周縁に連続し、幅方向中央部が中高に形成されて後端が開放されたカバー部から構成されて、内部に前記グリーンフォークを後方から収納する空間が形成され、前記底板の下面には、その長手方向前端付近から後方に向けて所定長さに形成された、ゴルフシューズの前側部分を横断する靴紐を通すための前後に細長い第１の紐通し孔を有する、靴紐連結部が設けられているとともに、前記カバー部後端近傍の左右両側面には、ゴルフシューズの左右に交差するそれぞれの靴紐を通すための、一対の第２の紐通し孔が形成され、前記空間内には、グリーンフォークの収納時に二股状のフォーク部の間に位置して当該フォーク部を位置決めし、且つ挿抜自在に案内するフォークガイドが形成されているとともに、カバー部内側の、グリーンフォーク収納時に第１の磁気吸着部材の上面と対向する位置には、当該磁気吸着部材との間で磁気吸引力が作用する第２の磁気吸着部材が固定され、第１の磁気吸着部材と第２の磁気吸着部材の少なくとも一方は永久磁石であって、グリーンフォークがケースに収納されている時は、第１の磁気吸着部材と第２の磁気吸着部材が互いに吸着して、グリーンフォークはケース内の所定位置に保持され、グリーンフォークをケースから取り出す時は、グリーンフォークの把持部後端側を押し下げることにより、フォーク部の前端部上面がカバー部の内面に当接し、この当接位置を支点にグリーンフォークが下方に傾動して、第１の磁気吸着部材と第２の磁気吸着部材間の吸着状態が解かれることを特徴としている。
【手続補正２】
【補正対象書類名】特許請求の範囲
【補正対象項目名】全文
【補正方法】変更
【補正の内容】
【特許請求の範囲】
【請求項１】
グリーンフォークと、これを収納するケースのセットであって、
グリーンフォークは、その長手方向前方に向けて二股状に分岐したフォーク部と、当該フォーク部の後方に連続し、後端部が上方に湾曲したへら状の把持部から構成されているとともに、前記フォーク部と把持部が連続する部分の幅方向中央部上面には第１の磁気吸着部材が埋設され、
ケースは、平坦な底板と、長手方向前端部の下端と両側部の下端がそれぞれ前記底板周縁に連続し、幅方向中央部が中高に形成されて後端が開放されたカバー部から構成されて、内部に前記グリーンフォークを後方から収納する空間が形成され、前記底板の下面には、その長手方向前端付近から後方に向けて所定長さに形成された、ゴルフシューズの前側部分を横断する靴紐を通すための前後に細長い第１の紐通し孔を有する、靴紐連結部が設けられているとともに、前記カバー部後端近傍の左右両側面には、ゴルフシューズの左右に交差するそれぞれの靴紐を通すための、一対の第２の紐通し孔が形成され、
前記空間内には、グリーンフォークの収納時に二股状のフォーク部の間に位置して当該フォーク部を位置決めし、且つ挿抜自在に案内するフォークガイドが形成されているとともに、カバー部内側の、グリーンフォーク収納時に第１の磁気吸着部材の上面と対向する位置には、当該磁気吸着部材との間で磁気吸引力が作用する第２の磁気吸着部材が固定され、
第１の磁気吸着部材と第２の磁気吸着部材の少なくとも一方は永久磁石であって、グリーンフォークがケースに収納されている時は、第１の磁気吸着部材と第２の磁気吸着部材が互いに吸着して、グリーンフォークはケース内の所定位置に保持され、グリーンフォークをケースから取り出す時は、グリーンフォークの把持部後端側を押し下げることにより、フォーク部の前端部上面がカバー部の内面に当接し、この当接位置を支点にグリーンフォークが下方に傾動して、第１の磁気吸着部材と第２の磁気吸着部材間の吸着状態が解かれることを特徴とするグリーンフォークとケースのセット。
【請求項２】
ケースのカバー部の両側面にはそれぞれ、内部に侵入した土砂等の異物を排除するための開口部が形成されていることを特徴とする請求項１に記載のグリーンフォークとケースのセット。